(57)【要約】【課題】  複数の携帯機器を充電でき、各携帯機器には、固有のデータを登録できるようにする。【解決手段】  通信制御回路（４４）は、各充電台（４０−１〜３）に携帯機器（５０−１〜３）が載置されるか否かを監視する。通信制御回路（４４）は、載置された携帯機器の識別情報（利用者等）を調べ、データ配信サーバ（２６）に、この携帯機器に登録すべき情報の配信を要求する。データ配信サーバ（２６）は、要求されたデータを充電装置（３０）に送信する。充電装置（３０）では、電力線通信モデム（３８）が、データ配信サーバ２６からのデータを通信制御回路（４４）に転送する。通信制御回路（４４）は、このデータを、登録目的の携帯機器が載置される充電台に供給する。【選択図】  図１
2007267056.tif 000002
【特許請求の範囲】
【請求項１】
充電端子及び通信端子を具備する複数の充電台（４０−１〜４０−３）と、
当該充電端子に所定電圧を印加する充電回路（３６）と、
データ配信サーバと接続する通信回路（３８）と、
当該複数の充電台への携帯機器の載置を監視し、載置された携帯機器に登録すべきデータを当該通信回路を介して当該データ配信サーバに要求し、当該データ配信サーバからのデータを当該載置された携帯機器に登録する通信制御回路（４４）
とを具備することを特徴とする携帯機器充電装置。
【請求項２】
当該通信回路が、電力線通信モデムからなることを特徴とする携帯機器充電装置。
【発明の詳細な説明】
【技術分野】
【０００１】
本発明は、複数の携帯機器に所望のデータを登録可能な携帯機器充電装置に関する。
【背景技術】
【０００２】
最近、電力線通信ネットワークの実用化が期待されており、例えば携帯端末に電力線経由で親機からコードレス子機に情報を転送するコードレス電話機が知られている（特許文献１）。
【０００３】
電力線通信による携帯端末の通信は、個人用には、1台の通信機能を有する充電台を用いることで十分有用であると考えられる。しかし、企業等では、多くの携帯端末を使用するので、これらを一括して充電できると共に、同じデータを簡易に登録できることが望まれる。
【０００４】
特許文献２には、複数の携帯電話機を同時に充電でき、且つ、同じデータを登録できる一斉充電／登録システムが記載されている。
【特許文献１】特許第２７４９２４８号公報
【特許文献２】特許第３４３９０８１号公報
【発明の開示】
【発明が解決しようとする課題】
【０００５】
特許文献２に記載のシステムは、各携帯端末に互いに異なる情報を入力する必要が有る場合と、入力する情報が時々刻々変化する場合に、対応が困難である。
【０００６】
本発明は、同時に複数の携帯機器を充電できると共に、各携帯機器へのデータ入力の労力を低減できる携帯機器充電装置を提示することを目的とする。
【課題を解決するための手段】
【０００７】
本発明に係る携帯機器充電装置は、充電端子及び通信端子を具備する複数の充電台と、当該充電端子に所定電圧を印加する充電回路と、データ配信サーバと接続する通信回路と、当該複数の充電台への携帯機器の載置を監視し、載置された携帯機器に登録すべきデータを当該通信回路を介して当該データ配信サーバに要求し、当該データ配信サーバからのデータを当該載置された携帯機器に登録する通信制御回路とを具備することを特徴とする。
【発明の効果】
【０００８】
本発明によれば、複数の携帯機器を同時に充電可能であると共に、ユーザによる特別の操作無しで、各携帯機器に異なる情報の登録できる。
【発明を実施するための最良の形態】
【０００９】
以下、図面を参照して、本発明の実施例を詳細に説明する。
【００１０】
図１は、本発明の一実施例の概略構成ブロック図を示す。電力線１０にはコンセント１２，１４が装備されている。電力線通信モデム２０の電源プラグ２２がコンセント１２に接続する。電力線通信モデム２０には、通信線２４を介してデータ配信サーバ２６が接続する。これにより、データ配信サーバ２６は電力線１０に接続する電力線通信機器との間で、電力線通信によりデータを送受信できる。
【００１１】
データ配信サーバ２６には、携帯機器５０−１〜５０−３毎に登録すべきデータが分類して格納されている。
【００１２】
コンセント１４には、本発明の一実施例である充電装置３０の電源プラグ３２が接続する。電源プラグ３２は、電力線３４を介して充電回路３６と、電力線通信モデム３８に接続する。充電回路３６は電力線３４からのＡＣ電力から携帯機器５０−１〜５０−３を充電する直流電圧を生成し、充電台４０−１〜４０−３に供給する。携帯機器５０−１〜５０−３は、代表的には携帯電話機である。
【００１３】
充電台４０−１〜４０−３は、図示していないが、載置される携帯機器５０−１〜５０−３の電源端子に接続する電源端子と、通信端子に接続する通信端子を具備する。
【００１４】
また、電力線通信モデム３８は通信線４２を介して通信制御回路４４に接続し、通信制御回路４４は、通信線４６−１〜４６−３を介して各充電台４０−１〜４０−３の通信端子に接続する。
【００１５】
各充電台４０−１〜４０−３に携帯機器５０−１〜５０−３が載置されると、各充電台４０−１〜４０−３の電源端子は、載置された携帯機器５０−１〜５０−３の電源端子に接続し、各充電台４０−１〜４０−３の通信端子は、載置された携帯機器５０−１〜５０−３の通信端子に接続する。
【００１６】
本実施例の動作を説明する。通信制御回路４４は、各充電台４０−１〜４０−３の通信端子の電位をモニタしており、これにより、どの充電台４０−１〜４０−３に携帯機器５０−１〜５０−３が載置されたかを検出できる。勿論、専用の機械スイッチを各充電台４０−１〜４０−３に設け、その機械スイッチの挙動を通信制御回路４４が監視しても良い。
【００１７】
例えば、充電台４０−１に携帯機器５０−１が載置されたとする。通信制御回路４４は、充電台４０−１に載置された携帯機器５０−１の識別情報（利用者等）を調べ、通信線４２，電力線通信モデム３８、電力線３４、電力線１０、電力線通信モデム２０及び通信線２４を介してデータ配信サーバ２６に、この携帯機器５０−１に登録すべき情報の配信を要求する。
【００１８】
データ配信サーバ２６は、この配信要求に従い、携帯機器５０−１に登録すべきデータを充電装置３０に送信する。充電装置３０では、電力線通信モデム３８が、データ配信サーバ２６からのデータを通信線４２を介して通信制御回路４４に転送する。通信制御回路４４は、電力線通信モデム３８からのデータを通信線４６−１を介して充電台４０−１に供給する。これにより、携帯機器５０−１にデータが登録される。
【００１９】
充電台４０−２に携帯機器５０−２が載置されたとすると、通信制御回路４４は、携帯機器５０−２に登録すべき情報の配信をデータ配信サーバ２６に要求し、データ配信サーバ２６は、この配信要求に従い、携帯機器５０−２に登録すべきデータを充電装置３０に送信する。通信制御回路４４は、配信されたデータを通信線４６−２を介して充電台４０−２に供給する。これにより、携帯機器５０−２にデータが登録される。
【００２０】
充電回路３６は、充電台４０−１，４０−２に載置された携帯機器５０−１，５０−２の電池を充電する。
【００２１】
このようにして、本実施例では、複数の携帯機器を同時に充電できると共に、各携帯機器に登録すべきデータを、利用者の特別の操作無しで更新できる。上記動作では、各携帯機器に固有のデータを登録するとしたが、複数の携帯機器に同じデータを登録する場合、各携帯機器を識別する必要が無くなることは明らかである。
【００２２】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００２３】
【図１】本発明の第１実施例の概略構成ブロック図である。
【符号の説明】
【００２４】
１０：電力線
１２，１４：コンセント
２０：電力線通信モデム
２２：電源プラグ
２４：通信線
２６：データ配信サーバ
３０：充電装置
３２：電源プラグ
３４：電力線
３６：充電回路
３８：電力線通信モデム
４０−１〜４０−３：充電台
４２：通信線
４４：通信制御回路
４６−１〜４６−３：通信線
５０−１〜５０−３：携帯機器
【図１】
2007267056.tif 000003